(57)【要約】【課題】熱による粘度上昇、湿気による反応を防止することが可能で、且つ安定した連続塗布を可能にし安定生産に寄与できる。【解決手段】加熱されて溶融状態となる固体状態のホットメルト接着剤２１を溶融し、塗布ヘッド７０に送液するホットメルト接着剤溶融送液装置１であって、固体状態のホットメルト接着剤２１を防湿袋２０に入れた状態で加熱溶融する加熱溶融部３と、防湿袋２０に入れた溶融状態のホットメルト接着剤２１を防湿袋２０から取り出して保温する保温タンク部４と、保温タンク部４に貯留するホットメルト接着剤２１を塗布ヘッド７０に供給する供給手段７とを備える。【選択図】図１
2006158995.tif 000002
【特許請求の範囲】
【請求項１】
加熱されて溶融状態となる固体状態のホットメルト接着剤を溶融し、塗布ヘッドに送液するホットメルト接着剤溶融送液装置であって、
固体状態のホットメルト接着剤を防湿袋に入れた状態で加熱溶融する加熱溶融部と、
防湿袋に入れた溶融状態のホットメルト接着剤を前記防湿袋から取り出して保温する保温タンク部と、
前記保温タンク部に貯留するホットメルト接着剤を塗布ヘッドに供給する供給手段とを備えることを特徴とするホットメルト接着剤溶融送液装置。
【請求項２】
前記保温タンク部は、
防湿袋に入れた溶融状態のホットメルト接着剤を前記防湿袋から取り出す取出部と、
前記取出部により取り出された溶融状態のホットメルト接着剤を貯留するタンク部とを備えることを特徴とする請求項１に記載のホットメルト接着剤溶融送液装置。
【請求項３】
固体状態のホットメルト接着剤を防湿袋に入れた状態で貯留するストレージ部を備え、
前記ストレージ部から前記加熱溶融部に、固体状態のホットメルト接着剤を防湿袋に入れた状態で供給することを特徴とする請求項１または請求項２に記載のホットメルト接着剤溶融送液装置。
【請求項４】
前記供給手段の送液量に基づき前記保温タンク部への前記防湿袋に入れた溶融状態のホットメルト接着剤の供給量を制御する制御手段を備えることを特徴とする請求項１乃至請求項３のいずれか１項に記載のホットメルト接着剤溶融送液装置。
【請求項５】
前記供給手段は、前記保温タンク部に貯留するホットメルト接着剤を前記塗布ヘッドへ供給するホースと、このホースに備えられる供給ポンプとを有し、
前記ホースの途中に、前記溶融状態となったホットメルト接着剤の温度を保つ機能と昇温機能を有する温度安定部を備えることを特徴とする請求項１に記載のホットメルト接着剤溶融送液装置。 
【請求項６】
前記ホットメルト接着剤は、湿気反応型であることを特徴とする請求項１乃至請求項５のいずれか１項に記載のホットメルト接着剤溶融送液装置。
【請求項７】
前記保温タンク部を密封構造とし、
前記保温タンク部の取出部とタンク部の少なくともいずれかに、前記ホットメルト接着剤の反応を規制する脱気または気体を供給する手段を備えることを特徴とする請求項１乃至請求項６のいずれか１項に記載のホットメルト接着剤溶融送液装置。
【請求項８】
前記取出部は、
前記加熱溶融部と連通する開口部に開閉可能に設けられ、前記防湿袋に入れた溶融状態のホットメルト接着剤を供給可能にする第１のシャッタと、
前記タンク部と連通する開口部に開閉可能に設けられ、前記防湿袋から取り出したホットメルト接着剤を前記タンク部へ供給可能にする第２のシャッタとを有することを特徴とする請求項７に記載のホットメルト接着剤溶融送液装置。
【請求項９】
前記保温タンク部に、溶融状態のホットメルト接着剤を加熱する加熱手段を備えることを特徴とする請求項１乃至請求項８のいずれか１項に記載のホットメルト接着剤溶融送液装置。
【請求項１０】
加熱されて溶融状態となる固体状態のホットメルト接着剤を溶融し、塗布ヘッドに送液するホットメルト接着剤溶融送液方法であって、
固体状態のホットメルト接着剤を防湿袋に入れた状態で加熱溶融し、
防湿袋に入れた溶融状態のホットメルト接着剤を前記防湿袋から取り出して保温タンク部に貯留し、
前記保温タンク部に貯留するホットメルト接着剤を、供給手段により前記塗布ヘッドに供給することを特徴とするホットメルト接着剤溶融送液方法。
【請求項１１】
前記保温タンク部は、
防湿袋に入れた溶融状態のホットメルト接着剤を取出部により前記防湿袋から取り出し、
前記取り出された溶融状態のホットメルト接着剤をタンク部に貯留することを特徴とする請求項１０に記載のホットメルト接着剤溶融送液方法。
【請求項１２】
ストレージ部に固体状態のホットメルト接着剤を防湿袋に入れた状態で貯留し、
前記ストレージ部から前記加熱溶融部に、固体状態のホットメルト接着剤を防湿袋に入れた状態で供給することを特徴とする請求項１０または請求項１１に記載のホットメルト接着剤溶融送液方法。
【請求項１３】
前記供給手段の送液量に基づき前記保温タンク部への前記防湿袋に入れた溶融状態のホットメルト接着剤の供給量を制御することを特徴とする請求項１０乃至請求項１２のいずれか１項に記載のホットメルト接着剤溶融送液方法。
【請求項１４】
前記供給手段は、前記保温タンク部に貯留するホットメルト接着剤を前記塗布ヘッドへ供給するホースを有し、
前記ホースの途中に温度安定部を備え、
前記温度安定部により前記溶融状態となったホットメルト接着剤の温度を保つかつ昇温することを特徴とする請求項１０に記載のホットメルト接着剤溶融送液方法。
【請求項１５】
前記ホットメルト接着剤は、湿気反応型であることを特徴とする請求項１０乃至請求項１４のいずれか１項に記載のホットメルト接着剤溶融送液方法。
【請求項１６】
前記保温タンク部を密封構造とし、
前記保温タンク部の取出部とタンク部の少なくともいずれかに、前記ホットメルト接着剤の反応を規制する脱気または気体を供給することを特徴とする請求項１０乃至請求項１５のいずれか１項に記載のホットメルト接着剤溶融送液方法。
【請求項１７】
前記取出部は、
前記加熱溶融部と連通する開口部に第１のシャッタが開閉可能に設けられ、
前記タンク部と連通する開口部に第２のシャッタが開閉可能に設けられ、
前記第２のシャッタを閉じた状態で、前記第１のシャッタを開いて前記加熱溶融部から前記防湿袋に入れた溶融状態のホットメルト接着剤を前記取出部に供給し、
前記第１のシャッタを閉じた状態で、前記第２のシャッタを開いて前記取出部から前記防湿袋から溶融状態のホットメルト接着剤を取り出して前記タンク部に供給することを特徴とする請求項１６に記載のホットメルト接着剤溶融送液方法。
【請求項１８】
前記保温タンク部に貯留する溶融状態のホットメルト接着剤を加熱することを特徴とする請求項１０乃至請求項１７のいずれか１項に記載のホットメルト接着剤溶融送液方法。
【発明の詳細な説明】
【技術分野】
【０００１】
この発明は、固体状態のホットメルト接着剤を溶融し、塗布ヘッドに送液するホットメルト接着剤溶融送液装置及びホットメルト接着剤溶融送液方法に関するものである。
【背景技術】
【０００２】
従来より、自動車、繊維、建材、カード等の製造においてホットメルト接着剤が用いられ、このホットメルト接着剤は、ホットメルト接着剤を固体状態から溶融して液体状態に変換して使用される。このホットメルト接着剤の溶融は、例えば溶解タンクに投入したホットメルト接着剤をヒータで加熱して溶融し、塗布ヘッドへ供給する装置がある（例えば特許文献１）。
【特許文献１】特開平１０−３２８６０７号公報（第１頁〜第７頁、図１〜図１０）
【発明の開示】
【発明が解決しようとする課題】
【０００３】
このように、溶解タンクに投入したホットメルト接着剤をヒータにより加熱して溶融し、塗布ヘッドへ供給する装置では、タンク内に滞留するホットメルト接着剤が熱による粘度上昇やタンクに付着したホットメルト接着剤が湿気反応により固まり、このホットメルト接着剤が供給されると塗布ヘッドに詰まる問題があり、安定した塗布ができず、不良発生による塗布品質への影響が大きかった。
【０００４】
この発明は、かかる点に鑑みてなされたもので、熱による粘度上昇、湿気による反応を防止することが可能で、且つ安定した連続塗布を可能にし安定生産に寄与できるホットメルト接着剤溶融送液装置及びホットメルト接着剤溶融送液方法を提供することを目的としている。
【課題を解決するための手段】
【０００５】
前記課題を解決し、かつ目的を達成するために、この発明は、以下のように構成した。
【０００６】
請求項１に記載の発明は、加熱されて溶融状態となる固体状態のホットメルト接着剤を溶融し、塗布ヘッドに送液するホットメルト接着剤溶融送液装置であって、
固体状態のホットメルト接着剤を防湿袋に入れた状態で加熱溶融する加熱溶融部と、
防湿袋に入れた溶融状態のホットメルト接着剤を前記防湿袋から取り出して保温する保温タンク部と、
前記保温タンク部に貯留するホットメルト接着剤を塗布ヘッドに供給する供給手段とを備えることを特徴とするホットメルト接着剤溶融送液装置である。
【０００７】
請求項２に記載の発明は、前記保温タンク部は、
防湿袋に入れた溶融状態のホットメルト接着剤を前記防湿袋から取り出す取出部と、
前記取出部により取り出された溶融状態のホットメルト接着剤を貯留するタンク部とを備えることを特徴とする請求項１に記載のホットメルト接着剤溶融送液装置である。
【０００８】
請求項３に記載の発明は、固体状態のホットメルト接着剤を防湿袋に入れた状態で貯留するストレージ部を備え、
前記ストレージ部から前記加熱溶融部に、固体状態のホットメルト接着剤を防湿袋に入れた状態で供給することを特徴とする請求項１または請求項２に記載のホットメルト接着剤溶融送液装置である。
【０００９】
請求項４に記載の発明は、前記供給手段の送液量に基づき前記保温タンク部への前記防湿袋に入れた溶融状態のホットメルト接着剤の供給量を制御する制御手段を備えることを特徴とする請求項１乃至請求項３のいずれか１項に記載のホットメルト接着剤溶融送液装置である。
【００１０】
請求項５に記載の発明は、前記供給手段は、前記保温タンク部に貯留するホットメルト接着剤を前記塗布ヘッドへ供給するホースと、このホースに備えられる供給ポンプとを有し、
前記ホースの途中に、前記溶融状態となったホットメルト接着剤の温度を保つ機能と昇温機能を有する温度安定部を備えることを特徴とする請求項１に記載のホットメルト接着剤溶融送液装置である。
【００１１】
請求項６に記載の発明は、前記ホットメルト接着剤は、湿気反応型であることを特徴とする請求項１乃至請求項５のいずれか１項に記載のホットメルト接着剤溶融送液装置である。
【００１２】
請求項７に記載の発明は、前記保温タンク部を密封構造とし、
前記保温タンク部の取出部とタンク部の少なくともいずれかに、前記ホットメルト接着剤の反応を規制する脱気または気体を供給する手段を備えることを特徴とする請求項１乃至請求項６のいずれか１項に記載のホットメルト接着剤溶融送液装置である。
【００１３】
請求項８に記載の発明は、前記取出部は、前記加熱溶融部と連通する開口部に開閉可能に設けられ、前記防湿袋に入れた溶融状態のホットメルト接着剤を供給可能にする第１のシャッタと、
前記タンク部と連通する開口部に開閉可能に設けられ、前記防湿袋から取り出したホットメルト接着剤を前記タンク部へ供給可能にする第２のシャッタとを有することを特徴とする請求項７に記載のホットメルト接着剤溶融送液装置である。
【００１４】
請求項９に記載の発明は、前記保温タンク部に、溶融状態のホットメルト接着剤を加熱する加熱手段を備えることを特徴とする請求項１乃至請求項８のいずれか１項に記載のホットメルト接着剤溶融送液装置である。
【００１５】
請求項１０に記載の発明は、加熱されて溶融状態となる固体状態のホットメルト接着剤を溶融し、塗布ヘッドに送液するホットメルト接着剤溶融送液方法であって、
固体状態のホットメルト接着剤を防湿袋に入れた状態で加熱溶融し、
防湿袋に入れた溶融状態のホットメルト接着剤を前記防湿袋から取り出して保温タンク部に貯留し、
前記保温タンク部に貯留するホットメルト接着剤を、供給手段により前記塗布ヘッドに供給することを特徴とするホットメルト接着剤溶融送液方法である。
【００１６】
請求項１１に記載の発明は、前記保温タンク部は、防湿袋に入れた溶融状態のホットメルト接着剤を取出部により前記防湿袋から取り出し、
前記取り出された溶融状態のホットメルト接着剤をタンク部に貯留することを特徴とする請求項１０に記載のホットメルト接着剤溶融送液方法である。
【００１７】
請求項１２に記載の発明は、ストレージ部に固体状態のホットメルト接着剤を防湿袋に入れた状態で貯留し、
前記ストレージ部から前記加熱溶融部に、固体状態のホットメルト接着剤を防湿袋に入れた状態で供給することを特徴とする請求項１０または請求項１１に記載のホットメルト接着剤溶融送液方法である。
【００１８】
請求項１３に記載の発明は、前記供給手段の送液量に基づき前記保温タンク部への前記防湿袋に入れた溶融状態のホットメルト接着剤の供給量を制御することを特徴とする請求項１０乃至請求項１２のいずれか１項に記載のホットメルト接着剤溶融送液方法である。
【００１９】
請求項１４に記載の発明は、前記供給手段は、前記保温タンク部に貯留するホットメルト接着剤を前記塗布ヘッドへ供給するホースを有し、
前記ホースの途中に温度安定部を備え、
前記温度安定部により前記溶融状態となったホットメルト接着剤の温度を保つことを特徴とする請求項１０に記載のホットメルト接着剤溶融送液方法である。
【００２０】
請求項１５に記載の発明は、前記ホットメルト接着剤は、湿気反応型であることを特徴とする請求項１０乃至請求項１４のいずれか１項に記載のホットメルト接着剤溶融送液方法である。
【００２１】
請求項１６に記載の発明は、前記保温タンク部を密封構造とし、
前記保温タンク部に、前記ホットメルト接着剤の反応を規制する脱気または気体を供給することを特徴とする請求項１０乃至請求項１５のいずれか１項に記載のホットメルト接着剤溶融送液方法である。
【００２２】
請求項１７に記載の発明は、前記取出部は、
前記加熱溶融部と連通する開口部に第１のシャッタが開閉可能に設けられ、
前記タンク部と連通する開口部に第２のシャッタが開閉可能に設けられ、
前記第２のシャッタを閉じた状態で、前記第１のシャッタを開いて前記加熱溶融部から前記防湿袋に入れた溶融状態のホットメルト接着剤を前記取出部に供給し、
前記第１のシャッタを閉じた状態で、前記第２のシャッタを開いて前記取出部から前記防湿袋から溶融状態のホットメルト接着剤を取り出して前記タンク部に供給することを特徴とする請求項１６に記載のホットメルト接着剤溶融送液方法である。
【００２３】
請求項１８に記載の発明は、前記保温タンク部に貯留する溶融状態のホットメルト接着剤を加熱することを特徴とする請求項１０乃至請求項１７のいずれか１項に記載のホットメルト接着剤溶融送液方法である。
【発明の効果】
【００２４】
前記構成により、この発明は、以下のような効果を有する。
【００２５】
請求項１及び請求項１０に記載の発明によれば、固体状態のホットメルト接着剤を防湿袋に入れた状態で加熱溶融し、防湿袋に入れた溶融状態のホットメルト接着剤を防湿袋から取り出して保温タンク部に貯留し、保温タンク部に貯留するホットメルト接着剤を塗布ヘッドに供給することで、ホットメルト接着剤が無駄にならず、塗布不良が減少し、さらに準備や清掃時間が短くなり生産性の良いホットメルト接着剤の送液が可能となる。
【００２６】
請求項２及び請求項１１に記載の発明によれば、防湿袋に入れた溶融状態のホットメルト接着剤を防湿袋から取り出してタンク部に貯留し、例えばホットメルト接着剤の粘度が高い場合や短時間に移し替えたい場合、防湿袋をシゴク、押す、つぶす、ねじる、先端部から巻き搾り出す等により円滑かつ短時間に取り出すことができる。
【００２７】
請求項３及び請求項１２に記載の発明によれば、ストレージ部から加熱溶融部に、固体状態のホットメルト接着剤を防湿袋に入れた状態で供給することで、溶融状態のホットメルト接着剤を保温タンク部へ連続的に供給できる。
【００２８】
請求項４及び請求項１３に記載の発明によれば、供給手段の送液量に基づき保温タンク部への防湿袋に入れた溶融状態のホットメルト接着剤の供給量を制御することで、保温タンクへの溶融状態のホットメルト接着剤の投入を一定にすることができる。
【００２９】
請求項５及び請求項１４に記載の発明によれば、ホースの途中に温度安定部を備え、この温度安定部により溶融状態となったホットメルト接着剤の温度を保ちかつ昇温する。ホットメルト接着剤を低い温度で溶融してタンク部に貯蔵し、塗布ヘッドに供給する前に昇温する方が、熱による粘度上昇を防止することが可能となり温度を安定化することができる。
【００３０】
請求項６及び請求項１５に記載の発明によれば、ホットメルト接着剤は、湿気反応型であり、湿気による反応を防止することが可能である。
【００３１】
請求項７及び請求項１６に記載の発明によれば、取出部とタンク部の少なくともいずれかに、ホットメルト接着剤の反応を規制する脱気または気体を供給することで、ホットメルト接着剤が長時間加熱による粘度上昇、及び湿気による反応を防止することが可能である。
【００３２】
請求項８及び請求項１７に記載の発明によれば、第２のシャッタを閉じた状態で、第１のシャッタを開いて加熱溶融部から防湿袋に入れた溶融状態のホットメルト接着剤を取出部に供給し、第１のシャッタを閉じた状態で、第２のシャッタを開いて取出部から防湿袋から溶融状態のホットメルト接着剤を取り出してタンク部に供給することで、防湿袋に入れた溶融状態のホットメルト接着剤の供給時に保温タンク部の温度低下、湿気による反応を防止することができる。
【００３３】
請求項９及び請求項１８に記載の発明によれば、保温タンク部に貯留する溶融状態のホットメルト接着剤を加熱し、保温タンク部でさらに溶融状態のホットメルト接着剤の溶融温度を上昇可能にすることにより、ホットメルト接着剤への熱負荷を制御し粘度上昇を防止することができる。
【発明を実施するための最良の形態】
【００３４】
以下、この発明のホットメルト接着剤溶融送液装置及びホットメルト接着剤溶融送液方法の実施の形態について説明する。この発明の実施の形態は、発明の最も好ましい形態を示すものであり、この発明はこれに限定されない。
【００３５】
図１乃至図３にホットメルト接着剤溶融送液装置及びホットメルト接着剤溶融送液方法を示す。図１はホットメルト接着剤を取り出す前の状態を示す図、図２はホットメルト接着剤の取出状態を示す図、図３はホットメルト接着剤溶融送液の動作フローである。この実施の形態のホットメルト接着剤溶融送液装置及びホットメルト接着剤溶融送液方法は、自動車、繊維、建材、カード等の製造において用いられ、ホットメルト接着剤を固体状態から溶融して液体状態に変換して使用される。
【００３６】
このホットメルト接着剤溶融送液装置１の装置本体２には、ストレージ部５と、加熱溶融部３と、保温タンク部４と、供給手段７とが備えられている。このストレージ部５の上部には、開口部５０が設けられ、この開口部５０は開閉蓋５１により開閉する。この開閉蓋５１を開いて固体状態のホットメルト接着剤２１を防湿袋２０に入れた状態で開口部５０からストレージ部５の内部に供給する。固体状態のホットメルト接着剤２１は、湿気反応しないように防湿袋２０に収納されている。このようにして、固体状態のホットメルト接着剤２１を防湿袋２０に入れた状態でストレージ部５に貯留する。
【００３７】
加熱溶融部３には、加熱手段３３と移動手段３４が備えられている。加熱手段３３はヒータ３３ａで構成され、加熱溶融部３の底部に配置されている。移動手段３４は無端チェーン３４ａと、無端チェーン３４ａに設けられた複数個の係止具３４ｂを有している。ストレージ部５から固体状態のホットメルト接着剤２１を防湿袋２０に入れた状態で加熱溶融部３に供給し、防湿袋２０を係止具３４ｂに吊し、無端チェーン３４ａの駆動により保温タンク部４の方向へ移動する。この加熱溶融部３では、加熱手段３３により固体状態のホットメルト接着剤２１を防湿袋２０に入れた状態で加熱溶融する。
【００３８】
保温タンク部４は、取出部４０と、タンク部４１とを有する。取出部４０は、加熱溶融部３と連通する開口部４５に第１のシャッタ４６が開閉可能に設けられ、この第１のシャッタ４６を開くことで防湿袋２０に入れた溶融状態のホットメルト接着剤２１を取出部４０に供給する。また、取出部４０は、タンク部４１と連通する開口部４７に第２のシャッタ４８が開閉可能に設けられ、この第２のシャッタ４８を開くことで、防湿袋２０から取り出したホットメルト接着剤２１をタンク部４１へ供給する。
【００３９】
この第１のシャッタ４６と第２のシャッタ４８の開閉制御は、制御手段９０によって行われ、第２のシャッタ４８を閉じた状態で、第１のシャッタ４６を開いて加熱溶融部３から防湿袋２０に入れた溶融状態のホットメルト接着剤２１を取出部４０に供給する。また、第１のシャッタ４６を閉じた状態で、第２のシャッタ４８を開いて取出部４０から防湿袋２０から溶融状態のホットメルト接着剤２１を取り出してタンク部４１に供給し、防湿袋２０に入れた溶融状態のホットメルト接着剤２１の供給時に保温タンク部４の温度低下、湿気による反応を防止することができる。
【００４０】
取出部４０には、ローラしごき装置４２が配置されている。このローラしごき装置４２は、吊し部４２ａと、ローラ４２ｂと、カッター４２ｃとを有する。吊し部４２ａにより防湿袋２０の上端を支持して吊し、防湿袋２０の下端をカッター４２ｃにより切断し、ローラ４２ｂにより上方から下方に向けてしごき、防湿袋２０に入れた溶融状態のホットメルト接着剤２１を取り出し、タンク部４１に貯留する。
【００４１】
保温タンク部４には、加熱手段４３が備えられ、この実施の形態ではタンク部４１にヒータ４３ａが設けられている。タンク部４１に貯留する溶融状態のホットメルト接着剤２１をヒータ４３ａによって加熱する。保温タンク部４でさらに溶融状態のホットメルト接着剤２１の溶融温度を上昇可能にすることにより、ホットメルト接着剤２１への熱負荷を制御し粘度上昇を防止することができる。
【００４２】
この実施の形態の供給手段７は、タンク部４１に貯留するホットメルト接着剤２１を塗布ヘッド７０へ供給するホース７１と、このホース７１に備えられる供給ポンプ７２とを有し、溶融状態となったホットメルト接着剤２１を塗布ヘッド７０に供給する。このタンク部４１と供給ポンプ７２との間には、フィルタ７３が配置され、さらに供給ポンプ７２と塗布ヘッド７０との間には、温度安定部７４、フィルタ７５が順に配置されている。
【００４３】
ホース７１の途中に配置されるフィルタ７３，７５は、溶融状態となったホットメルト接着剤２１に混入する不純物を除去し、高品質のホットメルト接着剤２１を塗布ヘッド７０へ供給する。また、ホース７１の途中に配置される温度安定部７４は、スタチックミキサーで構成され、溶融状態となったホットメルト接着剤２１の温度を保ち、温度を安定化する。
【００４４】
また、供給ポンプ７２の前段と、フィルタ７３の後段との間には、リターンホース８０が設けられ、このリターンホース８０にはリリーフ弁８１が配置されている。リリーフ弁81は、供給ポンプ７２が連続運転の状態で塗布ヘッド７０の塗布が停止するとホース71内の圧力が上昇するので圧力上昇を抑える。即ち、このホットメルト接着剤溶融送液装置１が間欠運転してホットメルト接着剤２１を塗布する場合に、塗布ヘッド７０の塗布が停止されることでホース７１内の圧力が上昇するとリリーフ弁８１が開いてホットメルト接着剤２１をフィルタ７３の前段へ戻してホース７１内の圧力上昇を抑える。
【００４５】
また、この実施の形態のホットメルト接着剤２１は、湿気反応型であり、湿気による反応を防止するように、保温タンク部４を構成する取出部４０とタンク部４１とを密封構造とし、保温タンク部４の取出部４０とタンク部４１に、ホットメルト接着剤の反応を規制する脱気または気体を供給する手段９１を備える。脱気または気体を供給する手段９１としては、例えば真空脱気装置を用いて真空脱気を行い、また窒素ガスまたはドライエアーを供給し、熱による粘度上昇、湿気による反応を防止することが可能である。
【００４６】
この実施の形態では、制御手段９０の制御で、加熱溶融部３の加熱手段３３、移動手段３４を制御し、保温タンク部４の第１のシャッタ４６、第２のシャッタ４８及びローラしごき装置４２を制御し、供給手段７の供給ポンプ７２を制御する。供給ポンプ７２の回転数を検出手段Ｓ１０で検出し、この回転数情報を制御手段９０へ送る。制御手段９０は回転数情報から供給手段７の送液量を求め、この送液量に基づき、加熱溶融部３の加熱手段３３、移動手段３４を制御し、また保温タンク部４の第１のシャッタ４６、第２のシャッタ４８及びローラしごき装置４２を制御し、保温タンク部４のタンク部４１への防湿袋２０に入れた溶融状態のホットメルト接着剤２１の供給量を制御し、保温タンク部４への溶融状態のホットメルト接着剤２１の投入を一定にすることができる。
【００４７】
次に、ホットメルト接着剤溶融送液の動作を、図３に基づいて説明する。このホットメルト接着剤溶融送液装置１は、ストレージ部５の開閉蓋５１を開いて固体状態のホットメルト接着剤２１を防湿袋２０に入れた状態で開口部５０からストレージ部５の内部に供給する（ステップＳ１）。このストレージ部５から固体状態のホットメルト接着剤２１を防湿袋２０に入れた状態で加熱溶融部３に供給し、この加熱溶融部３では、加熱手段３３により固体状態のホットメルト接着剤２１を防湿袋２０に入れた状態で加熱溶融する（ステップＳ２）。
【００４８】
保温タンク部４の第２のシャッタ４８を閉じた状態で、第１のシャッタ４６を開いて加熱溶融部３から防湿袋２０に入れた溶融状態のホットメルト接着剤２１を取出部４０に供給する（ステップＳ３）。第１のシャッタ４６を閉じ、第２のシャッタ４８を開いて、ローラしごき装置４２の吊し部４２ａにより防湿袋２０の上端を支持して吊し、防湿袋２０の下端をカッター４２ｃにより切断し（ステップＳ４）、ローラ４２ｂにより上方から下方に向けてしごき防湿袋２０に入れた溶融状態のホットメルト接着剤２１を取り出し、タンク部４１に貯留する（ステップＳ５）。
【００４９】
空の防湿袋２０を回収し（ステップＳ６）、第２のシャッタ４８を閉じる（ステップＳ７）。タンク部４１に貯留する溶融状態のホットメルト接着剤２１をヒータ４３ａによって加熱し（ステップＳ８）、ホットメルト接着剤２１への熱負荷を制御し粘度上昇を防止することができる。タンク部４１に貯留する溶融状態となったホットメルト接着剤２１を塗布ヘッド７０に供給する（ステップＳ９）。
【００５０】
このように、固体状態のホットメルト接着剤２１を防湿袋２０に入れた状態で加熱溶融し、防湿袋２０に入れた溶融状態のホットメルト接着剤２１を防湿袋２０から取り出して保温タンク部４に貯留し、保温タンク部４に貯留するホットメルト接着剤２１を塗布ヘッド７０に供給する。この実施の形態では、ストレージ部５から加熱溶融部３に、固体状態のホットメルト接着剤２１を防湿袋２０に入れた状態で供給することで、溶融状態のホットメルト接着剤２１を保温タンク部４へ連続的に供給できる。
【００５１】
また、この供給でホットメルト接着剤２１が長時間加熱による粘度上昇、及び湿気による反応を防止することが可能で、ホットメルト接着剤２１が無駄にならず、塗布不良が減少し、さらに準備や清掃時間が短くなり生産性の良いホットメルト接着剤２１の送液が可能となる。
【００５２】
また、防湿袋２０に入れた溶融状態のホットメルト接着剤２１を防湿袋２０から取り出してタンク部４１に貯留し、例えばホットメルト接着剤の粘度が高い場合や短時間に移し替えたい場合、防湿袋をシゴク、押す、つぶす、ねじる、先端部から巻き搾り出す等により円滑かつ短時間に取り出すことができる。
【産業上の利用可能性】
【００５３】
この発明は、固体状態のホットメルト接着剤を防湿袋に入れた状態で加熱溶融し、防湿袋に入れた溶融状態のホットメルト接着剤を防湿袋から取り出して保温タンク部に貯留し、保温タンク部に貯留するホットメルト接着剤を塗布ヘッドに供給し、ホットメルト接着剤が長時間加熱による粘度上昇、及び湿気による反応を防止することが可能で、ホットメルト接着剤が無駄にならず、塗布不良が減少し、さらに準備や清掃時間が短くなり生産性の良いホットメルト接着剤の送液が可能となる。
【図面の簡単な説明】
【００５４】
【図１】ホットメルト接着剤を取り出す前の状態を示す図である。
【図２】ホットメルト接着剤の取出状態を示す図である。
【図３】ホットメルト接着剤溶融送液の動作フローである。
【符号の説明】
【００５５】
１  ホットメルト接着剤溶融送液装置
３  加熱溶融部
４  保温タンク部
７  供給手段
２０  防湿袋
２１  ホットメルト接着剤
７０  塗布ヘッド
【図１】
2006158995.tif 000003
【図２】
2006158995.tif 000004
【図３】
2006158995.tif 000005